(57)【要約】【課題】バーコード等をスキャンしながら、表示画面に表示される情報を容易に視認可能な、ウェアラブル電子装置を提供する。【解決手段】読取装置１０は、指なしの長手袋形状の装着体１に、スキャナ２および表示パネル３を支持して備え、装着体１が、人差し指および親指のそれぞれの基節に係合する筒状部１ｒ1，１ｒ2、手首に巻き回して環状に固定する帯状部１ｂ2、前腕に巻き回して環状に固定する帯状部１ｂ1によって、ユーザの腕部に装着されるので、スキャナ２が手の甲に、表示パネル３が前腕の橈骨上に、それぞれ安定して固定される。【選択図】図６
2020067989.tif 000002
【特許請求の範囲】
【請求項１】
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記装着手段は、腕部に装着可能であり、前記表示手段を前腕の橈骨上に、前記読取手段を手の甲側または指の背側に、それぞれ固定可能に構成されることを特徴とするウェアラブル電子装置。
【請求項２】
前記表示手段は、長手方向が前腕における手首−肘方向になるように、前記装着手段に配置されていることを特徴とする請求項１に記載のウェアラブル電子装置。
【請求項３】
前記装着手段は、前腕の手首−肘方向に沿った方向における少なくとも両端で腕部に固定して装着され、
前記両端の一方がいずれか一指に係合し、他方が前腕に固定されることを特徴とする請求項１または請求項２に記載のウェアラブル電子装置。
【請求項４】
前記装着手段は、前記両端に、前記一指および前記前腕のそれぞれに巻き回すための、環状のまたは接続して環状となる環状部材を有することを特徴とする請求項３に記載のウェアラブル電子装置。
【請求項５】
前記装着手段は、前記両端間の中間部位でさらに腕部に固定して装着され、
前記中間部位が手首または前腕に固定され、
前記表示手段が、前記装着手段の前記中間部位と前記前腕に固定される方の端との間に配置されることを特徴とする請求項３または請求項４に記載のウェアラブル電子装置。
【請求項６】
前記装着手段は、前記中間部位に、前記手首または前記前腕に巻き回して固定するための、環状のまたは接続して環状となる中間環状部材を有することを特徴とする請求項５に記載のウェアラブル電子装置。
【請求項７】
前記読取手段は、当該読取手段に対して前記表示手段が配置された側と反対側に対向する光学情報を読み取るように、前記装着手段に配置されることを特徴とする請求項１ないし請求項６のいずれか一項に記載のウェアラブル電子装置。
【請求項８】
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記装着手段は、腕部に装着可能であり、前記表示手段を前腕の親指側の側面に、前記読取手段を手の甲側または指の背側に、それぞれ固定可能に構成されることを特徴とするウェアラブル電子装置。
【請求項９】
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記表示手段と前記読取手段は、互いに一方向に離間して配置され、
前記装着手段は、少なくとも前記一方向における両端に、環状のまたは接続して環状となる環状部材を有し、
前記読取手段の側の前記環状部材は、前記読取手段から前記一方向への延長上に設けられ、内径が、前記表示手段の側の前記環状部材よりも小さいことを特徴とするウェアラブル電子装置。
【請求項１０】
前記装着手段は、前記一方向に前記表示手段を前記表示手段の側の前記環状部材と挟む位置に、前記一方向を軸方向とする環状のまたは接続して環状となる中間環状部材を有し、
前記中間環状部材は、内径が、前記読取手段の側の前記環状部材よりも大きく、かつ前記表示手段の側の前記環状部材よりも小さいことを特徴とする請求項９に記載のウェアラブル電子装置。
【請求項１１】
前記表示手段は、長手方向が前記一方向になるように、前記装着手段に配置されていることを特徴とする請求項９または請求項１０に記載のウェアラブル電子装置。
【発明の詳細な説明】
【技術分野】
【０００１】
本発明は、ウェアラブル電子装置に関する。
【背景技術】
【０００２】
バーコードや二次元（２Ｄ）コードを読み取ってその情報をホストコンピュータ等へ送信する携帯型の読取装置（コードリーダ）は、運輸業、製造業、小売業等において、貨物や製品、商品の管理に広く利用されている。さらに、両手が空くように、ユーザの手首や指に装着するウェアラブル型の読取装置が開発されている。ウェアラブル型の読取装置は、読み取ったコードの情報をユーザが視認することができるように、例えば、腕時計のヘッド（本体）のように手首の手の甲側に装着され、指側の側面にコードを撮像するスキャナ（カメラ）を、上面に表示画面をそれぞれ有する（例えば、特許文献１）。また、別の読取装置は、スキャナが分離されて、指の背側に装着される（例えば、特許文献２）。さらに別の読取装置は、手首から前腕に沿って長く大型化した表示画面を有し、長手方向の一端が手首の手の甲側に固定され、手首上の尺骨側（小指側）の側面にスキャナを有する。または、指先側の側面にスキャナを有し、長手方向の一端が軸支されて、９０°回転させてスキャナを被写体に向ける構成としている（例えば、特許文献３）。
【先行技術文献】
【特許文献】
【０００３】
【特許文献１】国際公開第２０１５／１２５３１７号
【特許文献２】特許第２９３６８９６号公報
【特許文献３】特許第５６５５６９８号公報
【発明の概要】
【発明が解決しようとする課題】
【０００４】
特許文献１，２に記載された読取装置は、表示画面が最大でも腕時計の文字盤程度の面積であるため、同時に表示可能な情報量が少ない。また、表示画面が手首の手の甲側に配置されているので、スキャナを被写体に向けた状態でユーザが表示画面を視認することが困難であり、読み取ったコードの情報を即時確認することができない。特許文献３に記載された読取装置は、長手方向の一端を手首に巻いたバンド上に支持されているため、大型化すると安定性が低下する。また、例えば正面の被写体にスキャナを向けるためには、前腕が身体の前面に略平行になるように肘を曲げる必要があり、操作に必要な動作が多くなる。さらに、特許文献１，２と同様に、読み取ったコードの情報を即時確認することができない。
【０００５】
本発明の課題は、表示画面に表示される情報を、バーコード等をスキャンしながら容易に視認可能な、ウェアラブル電子装置を提供することである。
【課題を解決するための手段】
【０００６】
上記課題を解決するため、本発明に係るウェアラブル電子装置は、光学情報を読み取る読取手段と、前記読取手段が読み取った情報を表示する表示手段と、少なくとも一部が可撓性を有する部材で形成されて前記表示手段および前記読取手段を支持する装着手段と、を備え、前記装着手段が、腕部に装着可能であり、前記表示手段を前腕の橈骨上に、前記読取手段を手の甲側または指の背側に、それぞれ固定可能に構成される。
【０００７】
また、本発明に係るウェアラブル電子装置は、光学情報を読み取る読取手段と、前記読取手段が読み取った情報を表示する表示手段と、少なくとも一部が可撓性を有する部材で形成されて前記表示手段および前記読取手段を支持する装着手段と、を備え、前記表示手段と前記読取手段が互いに一方向に離間して配置され、前記装着手段が、少なくとも前記一方向における両端に、環状のまたは接続して環状となる環状部材を有し、前記読取手段の側の前記環状部材が、前記読取手段から前記一方向への延長上に設けられ、内径が前記表示手段の側の前記環状部材よりも小さい構成とする。
【発明の効果】
【０００８】
本発明に係るウェアラブル電子装置によれば、表示画面に表示される情報を、バーコード等をスキャンしながら容易に視認することができる。
【図面の簡単な説明】
【０００９】
【図１】本発明の実施形態に係るウェアラブル電子装置の装着時における外観図であ    る。
【図２】本発明の実施形態に係るウェアラブル電子装置の構成を模式的に示す外観図    である。
【図３Ａ】本発明の実施形態に係るウェアラブル電子装置の構成を模式的に示す平面    図である。
【図３Ｂ】本発明の実施形態に係るウェアラブル電子装置の構成を示す模式図であり    、図３ＡのIIIＢ−IIIＢ線断面図である。
【図３Ｃ】本発明の実施形態に係るウェアラブル電子装置の構成を示す模式図であり    、図３ＡのIIIＣ−IIIＣ線部分断面図である。
【図４】本発明の実施形態に係るウェアラブル電子装置の要部の構成を説明する外観    図である。
【図５】本発明の実施形態に係るウェアラブル電子装置の構成を示すブロック図であ    る。
【図６】本発明の実施形態に係るウェアラブル電子装置の使用時の状態を説明するた    めの、ユーザの視点による外観図である。
【図７Ａ】本発明の実施形態に係るウェアラブル電子装置の使用時における、ユーザ    の視点による表示手段の部分の外観図である。
【図７Ｂ】本発明の実施形態に係るウェアラブル電子装置の使用時における、ユーザ    の視点による表示手段の部分の外観図であり、図６の部分拡大図である。
【発明を実施するための形態】
【００１０】
以下、本発明を実施するための形態を、各図を参照して詳細に説明する。ただし、以下に示す形態は、本実施形態の技術思想を具現化するためのウェアラブル電子装置を例示するものであって、以下に限定するものではない。図面に示す部材は、説明を明確にするために、大きさや位置関係等を誇張していることがあり、また、形状を単純化していることがある。また、以下の説明において、同一のまたは同質の部材や工程については、同一の符号を付し、説明を適宜省略する。
【００１１】
〔読取装置〕
本発明の実施形態に係るウェアラブル電子装置の構成について、図１、図２、図３Ａ，３Ｂ，３Ｃ、図４、および図５を参照して説明する。図１は、本発明の実施形態に係るウェアラブル電子装置の装着時における外観図である。図２は、本発明の実施形態に係るウェアラブル電子装置の構成を模式的に示す外観図である。図３Ａ，３Ｂ，３Ｃは、本発明の実施形態に係るウェアラブル電子装置の構成を示す模式図であり、図３Ａは平面図、図３Ｂは図３ＡのIIIＢ−IIIＢ線断面図、図３Ｃは図３ＡのIIIＣ−IIIＣ線部分断面図である。図４は、本発明の実施形態に係るウェアラブル電子装置の要部の構成を説明する外観図である。図５は、本発明の実施形態に係るウェアラブル電子装置の構成を示すブロック図である。
【００１２】
図１および図２に示すように、本発明の実施形態に係る読取装置（ウェアラブル電子装置）１０は、ユーザの腕部、詳しくは左前腕から指にかけて装着して使用され、スキャナ（読取手段）２と、表示パネル（表示手段）３と、これらを表側で支持する装着体（装着手段）１と、を備える。読取装置１０はさらに、表示パネル３上に入力キー６２を備え、また、図３Ａ，３Ｂ，３Ｃおよび図４に示すように、装着体１の内部に、トリガーボタン２ｓ、指部入力キー６１、制御部４１（図５参照）等を内蔵した電子回路基板４、バッテリー５、および配線７１，７２，７３，７４，７５を備える。本明細書において、読取装置とは、バーコード等の光学情報を読み取ってデジタルデータ化するコードリーダである。すなわち、読取装置１０は、物品（貨物、製品、商品）に貼付されたラベルに印刷されたバーコードや二次元コード等の画像情報（光学情報）を含む画像を撮像し、画像情報をデコードして取得した物品の情報を可視化してユーザに通知すると共に、必要に応じてホストコンピュータや管理サーバ（図示せず）等に送信する。したがって、読取装置１０は、コードリーダ機能を有する携帯情報端末（ハンディターミナル）であるともいえる。
【００１３】
（装着体）
装着体１は、読取装置１０をユーザの腕部に装着するための部品であり、図１および図２に示すように、指なしの長手袋形状である。また、装着体１は、読取装置１０のその他の部品（図４参照）を支持する支持体であり、少なくとも一部が二層（二重）構造で、層間に電子回路基板４やバッテリー５等を収納する。詳しくは、装着体１は、親指（第一指）と人差し指（第二指）の各基節から手の甲における親指側の約２／３、手首、および内側（掌側）の一部を除いた前腕までを覆い、手首から末端（指）側（遠位）を覆う部分を手部１ｈ、肘側（近位）すなわち前腕を覆う部分を前腕部１ａと称する（図３Ａ参照）。装着体１は、人差し指、親指のそれぞれの基節に係合する筒状部（環状部材）１ｒ1，１ｒ2を手部１ｈに、手首またはその近傍に巻き回される帯状部（中間環状部材）１ｂ2、前腕に巻き回される帯状部（環状部材）１ｂ1を前腕部１ａに、それぞれ有する。装着体１は、腕部から外して平面に広げると、図３Ａに示すように、手部１ｈが略平行四辺形で、前腕部１ａが直角台形（脚の一方が上底および下底に垂直な台形）である。前腕部１ａには、下底および上底のそれぞれに沿って帯状部１ｂ1，１ｂ2が斜辺（下底と上底に非垂直な脚）から突設されている。また、手部１ｈは、前腕部１ａと反対側の鋭角の頂点の先に筒状部１ｒ1が、その隣の頂点の先に筒状部１ｒ2が、それぞれ形成されている。なお、図３Ａにおける縦方向が、読取装置１０の装着時に前腕の手首−肘方向（腕軸方向）となる。また、腕軸方向と直交する方向を腕回り方向と称する。
【００１４】
装着体１は、ユーザの腕部の動作を妨げないように可撓性を有し、一般的な衣料に使用される布、合成皮革、ゴム等のシート状部材で形成され、読取装置１０の用途に応じて、耐久性、通気性、防水性を有する等の材料を選択される。また、装着体１は、表側（装着時に露出する側）と裏側とで異なる材料を用いてもよく、さらに、帯状部１ｂ1，１ｂ2等の部位毎に異なる材料を継ぎ合わせてもよい。ここでは、装着体１は、図３Ａに示す平面視形状の２枚のシート状部材１１，１２を重ねて縁で縫い合わせた二層構造であり、縁以外は必要に応じて部分的に縫い合わされ、または接着剤によって貼り合わされている。図３Ｂ，３Ｃに示すように、表側のシート状部材（表地）１１は、スキャナ２および表示パネル３の配置箇所に、配線７２，７３を通すための切込みが形成されている。また、装着体１は、バッテリー５の配置箇所近傍に、バッテリー５に接続した配線５ｌおよび充電用コネクタ５ｃを通すための穴（図示せず）が形成されるように、シート状部材１１，１２の一方に切込みが形成され、または斜辺側の縁の一部が縫い合わされていない。これは、装着体１に収納されたバッテリー５を充電する際に、充電用コネクタ５ｃを装着体１の外に取り出すためである。また、装着体１は、帯状部１ｂ1，１ｂ2をそれぞれ環状に接続するために、帯状部１ｂ1，１ｂ2の先端部の裏側に面ファスナー（フック）１３が縫い付けられ、装着時に帯状部１ｂ1，１ｂ2と重ね合わされる部位の表側には、面ファスナー１３と着脱自在な面ファスナー（ループ）１４が縫い付けられている。面ファスナー１４は、ユーザの腕回りの太さに合わせられるように、帯状部１ｂ1，１ｂ2の長手方向に沿ってある程度長く設けられていることが好ましい。
【００１５】
読取装置１０がユーザの腕部に装着されたとき、装着体１は、筒状部１ｒ1が人差し指の付け根で、筒状部１ｒ2が親指の付け根（人差し指との間）で、それぞれ固定され、帯状部１ｂ2が、手首にまたは手首から１〜３ｃｍ程度肘寄りの手首近傍に巻き回されて固定される。この状態で、指の曲げ伸ばしや手首の動きが阻害されないように、手部１ｈの寸法、主に腕軸方向長が設計されることが好ましい。より好ましくは、拳を握って手首を伸ばした状態で手部１ｈに弛みがなく、さらに好ましくは、指および手首を伸ばした状態で手部１ｈに弛みがなく、かつ、指および手首を突っ張り感等なく曲げられる程度に、装着体１が伸縮性のあるシート状部材１１，１２で形成されている。一方、装着体１は、ユーザが小柄であっても肘まで覆わないように、前腕部１ａの腕軸方向長が１５ｃｍ程度以下であることが好ましい。また、後記するように、読取装置１０の装着時に表示パネル３とバッテリー５が前腕を挟んで対向するように、前腕部１ａの腕回り方向長がユーザの腕回りの太さに合わせて設計されることが好ましい。また、前腕部１ａが帯状部１ｂ1，１ｂ2を巻き回して前腕に装着された状態で、前腕を圧迫しないように、前腕部１ａの腕回り方向における少なくとも一部、または帯状部１ｂ1，１ｂ2のそれぞれの少なくとも一部が伸縮性を有することが好ましく、さらに弾性を有することがより好ましい。したがって、装着体１は、ユーザが体格、主に手の長さに応じて選択することができるように、伸縮性にもよるが、手部１ｈの腕軸方向長および前腕部１ａの腕回り方向長がそれぞれ段階的に異なる２、３通りのサイズに設計されることが好ましい。
【００１６】
（スキャナ）
スキャナ２は、バーコード等を含む画像を撮像して、電気信号として出力する。図５に示すように、スキャナ２は、受光素子２１と、増幅器２２と、デジタル変換器２３と、レンズやミラー等の光学系２４と、光源２５と、を備え、これらが透明な窓を一面に有する略直方体の筐体に収納されている。スキャナ２のこれらの部品は、バーコードリーダや２Ｄコードリーダ等の一般的なコードリーダのカメラモジュールの部品であり、読取装置１０が読み取り対象とするシンボルの種類（バーコード、二次元（２Ｄ）コード等、またはこれら２種類以上）に応じて、ＣＣＤ（Charge Coupled Device：電荷結合素子）イメージセンサやＣＭＯＳ（Complementary Metal-Oxide Semiconductor：相補型金属−酸化物半導体）イメージセンサ等を適用することができる。光源２５は、被写体にスポット光を照射するＬＥＤ（Light Emitting Diode）やＬＤ（Laser Diode）等の光源であり、前記イメージセンサの方式によって必要に応じて設けられる。受光素子２１は、フォトダイオードであり、被写体からの拡散反射光を、光学系２４を介して受光して電荷に変換する。増幅器２２およびデジタル変換器２３は、オペアンプ等で構成され、受光素子２１が出力したアナログ電気信号を増幅し、二値化してデジタル電気信号を出力する。スキャナ２は、窓を有する面を正面とし、この正面に対向した被写体の画像を撮像する。また、スキャナ２は、自動焦点（オートフォーカス：ＡＦ）機能を有することが好ましい。そのために、スキャナ２は、光学系２４や光源２５を移動させるアクチュエータを備えたり、光学系２４に、電圧印加によって焦点距離が移動する液体レンズを備えたりする。スキャナ２は、必要な機能を有しつつ、ユーザの作業の妨げにならないように、小型かつ軽量であることが好ましい。
【００１７】
図３Ａ，３Ｃに示すように、スキャナ２は、装着体１の表側に接着剤等で接合され、装着体１の手部１ｈにおける筒状部１ｒ1の近傍に、正面が筒状部１ｒ1に向くように、言い換えると、表示パネル３が配置された側と反対側に正面が向くように固定されている。このような配置により、図１に示すように、読取装置１０が装着されると、スキャナ２は、手の甲における人差し指の第三関節近傍に配置され、手に対して指側にある被写体の画像を撮像する。なお、スキャナ２は、手の甲の上から見て、人差し指−親指間の隙間（指間腔）にはみ出さないように、幅方向に長い場合には、手部１ｈにおいて中指側に寄せて配置されることが好ましい。スキャナ２は、ユーザが拳を握った状態で、手の向こう側（前方）にスポット光を照射することができ、また、スキャナ２の非動作時において、ユーザの作業を妨げない。また、スキャナ２は、電力の供給やデジタル電気信号の出力等のために、配線７２を経由して電子回路基板４と接続している。配線７２は装着体１のシート状部材１１，１２間に収納されるため、スキャナ２は、装着体１との接合面（下面）または背面の下部で配線７２に接続している。
【００１８】
（トリガーボタン）
トリガーボタン２ｓは、スキャナ２に画像情報の読み取りを開始させる入力操作手段である。図３Ａ、図４、および図５に示すように、トリガーボタン２ｓは、配線７４を経由して電子回路基板４と接続し、トリガーボタン２ｓの操作による信号が、電子回路基板４の制御部４１に入力される。トリガーボタン２ｓは、読取装置１０を装着した側の片手（左手）のみで操作可能で、かつ、操作する際に手ぶれが生じ難いことが好ましい。そのために、トリガーボタン２ｓは、押ボタンスイッチであることが好ましく、人差し指の基節における第二関節近傍の親指に対面した側面に配置されるように、装着体１の筒状部１ｒ1における筒状部１ｒ2に対面した側の末端近傍に固定されている。また、トリガーボタン２ｓは、押ボタンスイッチであるので、シート状部材１１，１２間に収納されて、一方の内面に接着されて固定されている。トリガーボタン２ｓは、このような配置により、ユーザが左手の親指の先で容易に押圧することができる（図６参照）。なお、トリガーボタン２ｓの位置をわかり易くするために、トリガーボタン２ｓ上におけるシート状部材（表地）１１の表面（外面）に目印を付してもよい（図示せず）。
【００１９】
（表示パネル）
表示パネル３は、スキャナ２が読み取った画像情報が付された物品の情報（物品の種類、型番、製造番号、履歴等）や、ホストコンピュータ等の外部から受信した作業指示内容等の情報を、ユーザに視覚的に示す表示手段である。また、表示パネル３は、スキャナ２の現在の状態（撮像中である、デコード中である、トリガーボタンの操作が有効か無効か、等）を示してもよい。表示パネル３は、これらの情報を、所定のフォーマットで表示し、また、現在時刻等も同時に表示してもよい。なお、表示パネル３に表示される文字等は、０．３〜０．５ｍ程度離間して判読可能な大きさであることが好ましい。表示パネル３は、例えば平面視で角丸長方形の平板形状の筐体を有し、軽量、薄型であることが好ましく、また、省電力であることが好ましい。具体的には、表示パネル３は、液晶パネルや有機ＥＬ（Electro-Luminescence）パネルが適用される。また、表示パネル３は、カラー表示、モノクロ表示のいずれでもよく、読取装置１０の用途に応じて選択される。表示パネル３の画面サイズは、読取装置１０の用途にもよるが、２インチ型以上であることが好ましく、大きいほど文字数等、情報を同時に多く表示することができる。一方、表示パネル３は、大型化すると、特に短辺長が長い場合に前腕の所定位置に固定され難くなり、また、長辺長が長く前腕の肘に近い部分にまで配置されると表示画面のこの部分が視界に入り難く、さらに、重量化によってユーザの負担が増大する。したがって、表示パネル３の画面サイズは、３．５インチ型以下であることが好ましい。また、表示パネル３は、長手方向を水平方向として表示することが好ましく、あるいは入力操作により画面表示を所望の向きに回転可能であることがより好ましく、または、加速度センサまたはジャイロセンサを内蔵して、画面表示の自動回転機能を有していてもよい。
【００２０】
図３Ａ，３Ｂに示すように、表示パネル３は、装着体１の表側に接合され、スキャナ２と同様、電子回路基板４からの電力の供給や電気信号の入力等のために、装着体１との接合面（下面）で配線７３に接続している。また、表示パネル３は、装着体１の筒状部１ｒ1からスキャナ２の側の延長上における前腕部１ａに、前記延長方向（腕軸方向）を長手方向として固定されている。このような配置により、図１に示すように、読取装置１０が装着されると、表示パネル３は、前腕における親指側の側面、すなわち橈骨上に、腕軸方向に沿って配置される。その結果、後記するように、読取装置１０を装着した腕部がユーザの胴体や頭部の前側にある体勢であれば、表示パネル３の上面の表示画面全体がユーザの視界に自然に入る。表示パネル３は、表示画面の少なくとも一部が前腕における橈骨上に配置されるように、装着体１に固定される。好ましくは、ユーザが肘を胸部前方に持ち上げた体勢で視線に垂直な表示画面となるように、表示パネル３は、表示画面の腕回り方向における中心が、橈骨の直上、またはその少し外側（手の甲側）の、人差し指から腕軸方向への延長上までに配置される。また、表示パネル３は、長手方向両外側の近傍で装着体１の帯状部１ｂ1，１ｂ2によって前腕と手首近傍に固定され、さらに、装着体１が筒状部１ｒ1，１ｒ2で人差し指と親指の付け根で固定されているので、ユーザが動いても、腕軸方向、腕回り方向共に安定して前腕に固定される。なお、表示パネル３は、長手方向すなわち読取装置１０の装着時における腕軸方向を表示画面の水平方向に、かつ親指側を下に向けて表示するように、装着体１に配置される。あるいは、表示パネル３は、腕軸方向を表示画面の鉛直方向に、かつ肘側を下に向けて表示してもよい。
【００２１】
（電子回路基板）
図５に示すように、電子回路基板４は、制御部４１、復号処理部４２、記憶部４３、および通信部４４を備える。また、電子回路基板４は、配線７１でバッテリー５と接続して電力を供給されると共に、電力をスキャナ２や表示パネル３へ経由する。制御部４１は、電子回路基板４における復号処理部４２等の他の部品、ならびにスキャナ２および表示パネル３等の動作を制御する制御手段である。復号処理部４２は、バーコードや二次元コードのデコーダであり、スキャナ２のデジタル変換器２３が出力したデジタル電気信号を物品の情報に復号する。記憶部４３は、前記物品の情報や、通信部４４が受信した情報等を記憶する。通信部４４は、無線ＬＡＮ（Local Area Network：構内通信網）等によってホストコンピュータ等と通信を行う。電子回路基板４は、ＣＰＵ（Central Processing Unit）、ＲＯＭ（Read Only Memory）、ＲＡＭ（Random Access Memory）、および通信部４４の無線ＬＡＮ用アンテナ等を備え、これらの電子部品を外部の衝撃から保護するために、平面視矩形の薄型の筐体に内蔵されている。図３Ａ，３Ｂに示すように、電子回路基板４は、装着体１のシート状部材１１，１２間に収納され、筐体の長手方向を腕軸方向として、前腕部１ａにおける表示パネル３の隣に配置される。電子回路基板４の筐体は、長手方向長が装着体１の前腕部１ａに収まる範囲で、腕回り方向長である短辺長が短いことが好ましい。電子回路基板４は、例えば、シート状部材１１またはシート状部材１２の内面に接着剤等で貼り合わされて固定される。または、電子回路基板４は、平面視でその周囲に沿ってシート状部材１１とシート状部材１２を配線７１，７２，７３が通る部分を避けて縫い合わせて、ある程度移動可能に配置されていてもよい。特に、装着体１が伸縮性を有する場合には、このような構成とすることにより、装着体１の伸縮が妨げられない。
【００２２】
（バッテリー）
バッテリー５は、スキャナ２、表示パネル３、および電子回路基板４の電源であり、これらを駆動する電圧の、モバイル機器に搭載される一般的な電池、例えばリチウムイオン電池を使用することができる。バッテリー５は、発熱が抑制されていることが好ましく、また、軽量で、外形が薄型であることが好ましい。図３Ａ，３Ｂに示すように、バッテリー５は、電子回路基板４と同様に装着体１のシート状部材１１，１２間に収納され、平面視矩形の長手方向を腕軸方向として、前腕部１ａにおける電子回路基板４の隣に配置される。また、バッテリー５は、配線５ｌを介して充電用コネクタ５ｃを接続して備える。バッテリー５は、読取装置１０の装着時に、前腕を挟んで表示パネル３と対向するように、前腕における小指側の側面（尺骨上）に配置されることが好ましい。このような構成により、読取装置１０において比較的重量のある表示パネル３に対して腕回り方向にずらしてバッテリー５が配置されているので、表示パネル３が前腕の所定部位に安定して固定され、また、ユーザの負荷が低減する。
【００２３】
（指部入力キー）
指部入力キー６１は、ユーザの操作によって、所定の動作をさせる入力操作手段であり、配線７５を経由して電子回路基板４と接続し、指部入力キー６１の操作による信号が、電子回路基板４の制御部４１に入力される。ここでは、指部入力キー６１は、主電源スイッチとして、バッテリー５から電子回路基板４への電力の供給を開始させ、また停止させる。指部入力キー６１は、トリガーボタン２ｓと同様に、読取装置１０を装着した側の片手（左手）のみで操作可能であり、一方で誤操作を生じ難いことが好ましい。そのために、指部入力キー６１は、所定時間（例えば２秒間）継続して押圧される、すなわち長押しで反応する押ボタンスイッチであり、親指の基節の背における末端寄り（第一関節近傍）に配置されるように、装着体１の筒状部１ｒ2の先端近傍に固定され、トリガーボタン２ｓと同様にシート状部材１１，１２間に収納されている。指部入力キー６１は、このような配置により、ユーザが、左手の親指を掌側に折り込んでその上に人差し指や中指の指先を立てるように載せることにより、押圧される。したがって、指部入力キー６１は、左手のみで操作可能であり、また、意図せずに押圧され難く、さらに短時間の（瞬間的な）押圧では反応しないので、誤操作を生じ難い。
【００２４】
（入力キー）
入力キー６２は、ユーザの操作によって、所定の動作をさせる入力操作手段であり、読取装置１０を装着した側と反対側の手（右手）で操作される。ここでは、入力キー６２は、表示パネル３の上面の表示画面の横に設けられ、円形の押しボタンで表されるが、十字キーやジョグダイヤル等でもよく、また、必要に応じて複数設けられ、表示パネル３の側面に設けられていてもよい。入力キー６２は、表示パネル３および配線７３を経由して電子回路基板４と接続し、入力キー６２の操作による信号が、電子回路基板４の制御部４１に入力される。入力キー６２は、例えば、表示パネル３の表示切換えや設定変更等を行う。
【００２５】
（配線）
図３Ａおよび図４に示すように、配線７１は、バッテリー５と電子回路基板４を接続する一対２本の導線で、バッテリー５から電力を供給する経路を構成する。配線７２，７３，７４，７５は、電子回路基板４と、スキャナ２、表示パネル３、トリガーボタン２ｓ、指部入力キー６１のそれぞれとを接続する配線で、バッテリー５からの電力の供給や電子回路基板４の制御部４１からの動作命令信号等の経路を構成する。配線７１，７２，７３，７４，７５は、電気信号数等に応じた必要な本数のビニール被覆銅線のような絶縁電線からなり、本数の多いものは帯状に束ねて融着したフラットケーブルや、ＦＰＣ（Flexible Printed Circuit）ケーブル等からなる。なお、トリガーボタン２ｓに接続する配線７４は、トリガーボタン２ｓの近傍に配置されるスキャナ２に接続する配線７２から分岐して設けられる。これらの配線７１，７２，７３，７４，７５は、外部の衝撃から保護するために、また、ユーザの作業を阻害しないように、装着体１のシート状部材１１，１２間に収納される。また、配線７１，７２，７３，７４，７５は、読取装置１０の装着時にユーザの動作等によって装着体１が変形、伸縮した際に追随するように、可撓性を有し、かつ装着体１の伸長時に合わせた長さを有し、また、電子回路基板４等との接続端子以外では固定されず、シート状部材１１，１２間において移動可能に収納される。または、配線７１，７２，７３，７４，７５は、移動範囲を制限するように収納されていてもよく、特に、配線長が長く、手首や指の関節を跨いで配置される配線７２，７４および配線７５については、断線を防止するために、移動範囲を制限することが好ましい。そのために、配線７２等は、例えば、局所的にシート状部材１１またはシート状部材１２に縫い付けられる等して固定されたり、平面視で配線７２等を挟む２箇所でシート状部材１１とシート状部材１２を縫い合わせてその外側へ移動しないように収納されたりしてもよい。
【００２６】
（読取装置の動作）
読取装置１０の動作について、図６、図７Ａ，７Ｂ、および図５を参照して説明する。図６は、本発明の実施形態に係るウェアラブル電子装置の使用時の状態を説明するための、ユーザの視点による外観図である。図７Ａ，７Ｂは、それぞれ、本発明の実施形態に係るウェアラブル電子装置の使用時における、ユーザの視点による表示手段の部分の外観図であり、図７Ｂは図６の部分拡大図である。
【００２７】
まず、指部入力キー６１が長押しされると、読取装置１０が起動する。すると、表示パネル３が、日付および現在時刻、バッテリー５の電池残量、無線ＬＡＮの通信状態、ならびにスキャナ２の状態、例えばトリガーボタン２ｓを押す度に１回撮像すること（トリガーモード）を表示する。また、ホストコンピュータが読取装置１０に作業指示等を送信した場合は、通信部４４が受信してその内容を、図７Ａに示すように表示パネル３が表示する。スキャナ２のトリガーボタン２ｓの操作が有効な状態でトリガーボタン２ｓが押されると、トリガーボタン２ｓの操作による信号が、電子回路基板４の制御部４１に入力される。すると、制御部４１により、バッテリー５からスキャナ２に電力が供給され、光源２５が点灯する。また、表示パネル３が、スキャナ２が撮像（スキャン）中であることを表示する。受光素子２１が受光し、図６に示すように、スキャナ２（光源２５）から照射されたスポット光の照射領域にバーコード等の特定の要素を有する画像ＶＩが存在する場合に、電気信号が出力され、その後、光源２５が消灯する。スキャナ２から入力された電気信号を、復号処理部４２が復号（デコード）して、デコードした物品情報を制御部４１に出力する。制御部４１は、図７Ｂに示すように物品情報を表示パネル３に所定のフォーマットで表示し、記憶部４３に格納し、さらに通信部４４でホストコンピュータに送信する。光源２５が点灯を開始してから一定時間、スポット光の照射領域にバーコード等が存在しなかった場合には、光源２５が消灯し、撮像エラーであることを表示パネル３に表示して、トリガーボタン２ｓを押す前の状態に戻る。また、読取装置１０は、トリガーボタン２ｓが押圧されている間のみ、スキャナ２が撮像可能な状態となる構成や、トリガーボタン２ｓの操作によらず、常時撮像可能な状態（連続読取モード）となる構成等であってもよく、さらには入力キー６２の操作等によるモード切替えでこれらを選択可能な構成であってもよい。前記の連続読取モードにおいては、トリガーボタン２ｓの操作が無効であり、スキャナ２が撮像したバーコード等が復号されてその情報が記憶、送信等される都度、自動的にスキャナ２が再び撮像可能な状態となる。なお、読取装置１０は、一定時間、何らかの操作がされず、かつホストコンピュータからの受信がない場合、待機状態となって、表示パネル３の表示が消える。そして、読取装置１０は、トリガーボタン２ｓや入力キー６２等の操作や、ホストコンピュータからの受信によって、待機状態が解除される。
【００２８】
前記したように、読取装置１０の一連の動作において、ホストコンピュータからの指示やスキャナ２が読み取った物品情報等が表示パネル３に表示される。読取装置１０によれば、表示パネル３がユーザの前腕における親指側の側面に固定されているので、左前腕がユーザの胴体や頭部の前側にあれば、言い換えると、読取装置１０を装着した左腕を完全に下ろしていたり反対に頭上に高く上げていたりあるいは背中側に回していたりしない限り、表示パネル３の上面の表示画面全体が視界に入り、かつ視線に対して大きくは傾斜しない。また、表示パネル３は表示画面が十分に大きいので、同時に表示する文字数を多くし、また、表示画面がユーザの視線に対してある程度傾斜していても、判読容易である。したがって、ユーザは、作業中に表示パネル３に表示された内容を、意識的に姿勢を変えることなく、即時にかつ容易に視認することができる。特に、図６および図７Ｂに示すように、スキャナ２の正面をユーザの前方の画像ＶＩに向けるように、肘を軽く曲げて拳を前に突き出した体勢で表示パネル３の表示画面が視界に入り、画像ＶＩの方に顔面を向けたまま視線を少し移動させるだけでも表示された内容を判読することができる。
【００２９】
（変形例）
読取装置１０は、復号処理部４２がＯＣＲ（Optical Character Recognition：光学文字認識）機能を有して、文字を読み取る構成とすることもでき、さらに、文字および二次元コード等のシンボルの両方を読み取り可能な構成とすることもできる。また、読取装置１０は、スキャナ２が通常のカメラとして、撮像した画像データをそのまま記憶したり、ホストコンピュータに送信したりする構成とすることもできる。
【００３０】
読取装置１０は、スキャナ２が、人差し指の基節の背に配置されるように、装着体１の筒状部１ｒ1における表側に固定されてもよい。このようなスキャナ２は、幅が人差し指の基節の幅以下であることが好ましい。この場合には、トリガーボタン２ｓをスキャナ２の筐体の親指側の側面に設けてもよい。また、読取装置１０は、復号処理部４２が、電子回路基板４から分離して設けられてもよい。具体的には、復号処理部４２を搭載した小型の電子回路基板を、装着体１の手部１ｈにおけるシート状部材１１，１２間に収納し、短い配線７２でスキャナ２と接続し、また、別途、フラットケーブル等で電子回路基板４と接続する。さらに、前記のスキャナ用電子回路基板に、Bluetooth（登録商標）等の近距離無線を行うモジュールおよびアンテナを搭載し、配線７４，７５でトリガーボタン２ｓおよび指部入力キー６１と接続してもよい。前記近距離無線と同規格のモジュール等を電子回路基板４の通信部４４に搭載し、スキャナ２、復号処理部４２、トリガーボタン２ｓおよび指部入力キー６１と、制御部４１との電気信号の送受信を無線で行う。この場合、スキャナ用電子回路基板と電子回路基板４を接続する配線は、配線７１のような電力の供給用の一対２本の導線となる。さらに、スキャナ２およびスキャナ用電子回路基板の電源として、電池容量の少ない小型のバッテリーを、手部１ｈにおけるシート状部材１１，１２間にスキャナ用電子回路基板と共に収納して備えてもよい。読取装置１０は、これらのような構成とすることにより、装着体１の前腕部１ａから手部１ｈにわたる長い配線が少数にまたは不要となって、断線による故障が発生し難い。
【００３１】
読取装置１０は、電子回路基板４が表示パネル３に内蔵されていてもよい。または、読取装置１０は、バッテリー５が表示パネル３または電子回路基板４に内蔵されていてもよい。さらに、読取装置１０は、電子回路基板４およびバッテリー５が表示パネル３に内蔵されていてもよい。読取装置１０は、これらのような構成とすることにより、装着体１の前腕部１ａにおけるシート状部材１１，１２間に収納される配線が少なくなり、断線による故障が発生し難い。なお、これらの構成においては、表示パネル３は、画面サイズが比較的小さい等、電子回路基板４等を内蔵しても、重量化しないことが好ましい。
【００３２】
読取装置１０は、表示手段として、液晶や有機ＥＬの他に、赤色や緑色等のＬＥＤを備えて、点灯や点滅させてもよく、表示パネル３やスキャナ２の筐体の表面に搭載する、または、装着体１の表側に接合する。特にユーザの視界に入り易い、表示パネル３の上面における手首側の端、または装着体１上の表示パネル３の手首側の隣等にＬＥＤを搭載することで、ホストコンピュータからの受信の通知等に好適である。また、スキャナ２の筐体に搭載したＬＥＤは、ユーザが画像ＶＩを注視しながらその視野に入るので、スキャナ２の状態（撮像中であること、撮像エラー等）を表示するために好適である。
【００３３】
読取装置１０は、入力キー６２として、表示パネル３が表示画面にタッチパネル機能を有していてもよい。読取装置１０においては、ユーザの自然な体勢で、表示パネル３の表示画面が水平または手前に少し傾斜した状態となるので、右手で入力し易い。あるいは、読取装置１０は、入力キー６２を、表示パネル３以外にも設けてもよく、例えば、電子回路基板４の筐体の上面に押ボタンとして設けて、装着体１のシート状部材１１の上から押圧して操作することができる。また、読取装置１０は、入力キー６２を主電源スイッチとして、右手で操作して読取装置１０を起動する構成でもよい。この場合には、読取装置１０は、指部入力キー６１および配線７５を備えない構成とすることができる。また、指部入力キー６１を、例えばトリガーボタン２ｓのロック解除キーとしてもよい。あるいは、トリガーボタン２ｓを長押しでロック解除する構成としてもよい。また、読取装置１０は、トリガーボタン２ｓおよび配線７４を備えず、トリガーボタン２ｓに代えて入力キー６２を右手で操作して読み取りを開始させる構成としてもよいし、あるいは前記の連続読取モードでバーコード等を読み取る構成としてもよい。また、トリガーボタン２ｓや指部入力キー６１は、スキャナ２と同様に、装着体１の表側に接合して固定されていてもよく、そのために、シート状部材（表地）１１に配線７４，７５を通すための切込みが形成される。また、指部入力キー６１をジョグダイヤルとして、親指の背を人差し指でなぞって操作し、例えば、表示パネル３の画面スクロールをすることもできる。また、読取装置１０は、装着体１の帯状部１ｂ2を巻き回して腕部に固定することで、起動するように構成することもできる。例えば、面ファスナー１３，１４上にスイッチを備えて、面ファスナー１３と面ファスナー１４が接触することで通電する。
【００３４】
読取装置１０は、スピーカ等の音声による通知手段や、アクチュエータによるバイブレータ等の通知手段を備えてもよい。また、マイクのような音声による入力手段を備えてもよい。スピーカやマイクは、表示パネル３と同様、前腕における親指側の装着体１の表側に設けられることが好ましく、したがって、表示パネル３に内蔵されていてもよい。バイブレータは、表示パネル３に内蔵されていてもよいし、あるいはユーザが振動を感知し易いように、装着体１のシート状部材１１，１２間に収納されてもよく、比較的腕部と密着している、前腕部１ａの帯状部１ｂ2で巻き回される面ファスナー１４が縫い付けられた領域等が好ましい。
【００３５】
装着体１は、前記したように、手部１ｈにおいては、指や手首の動きを阻害せず、かつスキャナ２が手の甲上に固定されるように、軟質で伸縮性を有し、さらにある程度伸縮性が高いことが好ましい。一方、前腕部１ａにおいては、帯状部１ｂ1，１ｂ2も含め、比較的重量のある表示パネル３等を前腕に固定するために、伸縮性が高過ぎないことが好ましい。そこで、装着体１は、手部１ｈと前腕部１ａとで伸縮性の異なる材料をシート状部材１１，１２に適用して継ぎ合わせて形成されていてもよい。この場合、例えばシート状部材（表地）１１のみを継ぎ合わせ、シート状部材（裏地）１２は伸縮性の高い材料で一体に形成することもできる。なお、前記したように、前腕部１ａの伸縮性が低い場合には、帯状部１ｂ1，１ｂ2が伸縮性を有することが好ましい。あるいは、装着体１は、シート状部材１１，１２に伸縮性の高い材料を適用し、一部の領域において、シート状部材１１，１２間に伸縮性の低い芯材を挟んで備えてもよい。具体的には、表示パネル３が固定される領域およびこの領域を腕軸方向に前腕部１ａの両端まで延長した領域である。このとき、表示パネル３が芯材に固定されるように、芯材をシート状部材（表地）１１に接着したり、シート状部材（表地）１１の配線７３を通す切込みを大きく形成して、表示パネル３を直接に芯材に接着したりすることが好ましい。このように、装着体１は、表示パネル３が固定される領域とその近傍を部分的に低い伸縮性とすることで、表示パネル３が帯状部１ｂ1，１ｂ2によって、前腕に安定して固定される。装着体１は、バッテリー５や電子回路基板４を収納する領域についても、同様に芯材を設けてもよい。この場合、バッテリー５等の表側、裏側のどちらに芯材を配置してもよく、また、バッテリー５等と芯材を接着して固定することが好ましい。
【００３６】
装着体１は、シート状部材（裏地）１２内面上（シート状部材１１，１２間）の、表示パネル３や電子回路基板４等が固定される領域や、帯状部１ｂ2で巻き回される領域における配線７２，７４および配線７５の下に、ウレタンシート等のクッション材を備えてもよい。このような構成により、表示パネル３等がより安定して前腕に固定される上、読取装置１０の装着によるユーザの腕部への圧迫感が低減する。あるいは、シート状部材（裏地）１２がクッション材で形成されてもよい。また、表示パネル３等が固定される領域に配置されるクッション材を、表側の表示パネル３に対面する側を平面、裏側を腕部の表面に沿った凹曲面としてもよい。このような構成により、表示パネル３等がいっそう安定して前腕に固定され、特に表示パネル３が大型である場合に有効である。
【００３７】
装着体１は、面ファスナー１３，１４以外で腕部に固定するように構成することもできる。例えば、面ファスナー１４に代えて、前腕部１ａの表示パネル３を固定した側の端の表側にバックルを縫い付ける等して備え、帯状部１ｂ1，１ｂ2にベルト穴を形成する。また、装着体１は、帯状部１ｂ1，１ｂ2の一部または全体が平ゴム等の弾性部材で形成されていてもよい。この場合、前腕部１ａの端に帯状部１ｂ1，１ｂ2の端を縫い付ける等して環状に固定することもできる。また、装着体１は、帯状部１ｂ1，１ｂ2間が連続した形状でもよく、少なくとも帯状部１ｂ1，１ｂ2に相当する部位、すなわち肘側の端と手首近傍とで固定されればよい。したがって、装着体１は、前腕の腕回り方向全体を覆う腕カバー状として、着脱のために腕軸方向に沿ってファスナーを備えてもよい。また、筒状部１ｒ1，１ｒ2についても、スナップや面ファスナー等の留具で環状に接続する構成とすることができる。この場合、読取装置１０を装着体１の前腕部１ａで前腕に固定したまま、手部１ｈを指および手の甲から容易に外すことができ、例えば、休憩時や指先による細かい作業等の際に、一時的に手の甲からスキャナ２を外すことができる。電子回路基板４上の装着体１の表側に、筒状部１ｒ1の留具と接続する留具を取り付けることにより、読取装置１０の手首から先を折り返して固定することができる。
【００３８】
装着体１は、筒状部１ｒ1，１ｒ2が中指と親指のそれぞれの基節を通すように手部１ｈに設けられて、人差し指を空けて装着してもよい。あるいは、装着体１は、筒状部１ｒ1，１ｒ2が中指と人差し指のそれぞれの基節を通すように手部１ｈに設けられていてもよく、この場合には、指部入力キー６１が、筒状部１ｒ2に覆われる人差し指の基節の親指に対面した側面に配置されるように設けられる。また、装着体１、特に手部１ｈを伸縮性の高い構造として、筒状部１ｒ1，１ｒ2に、人差し指と親指または中指と親指をユーザが選択して通して装着することもできる。また、装着体１は、筒状部１ｒ1，１ｒ2が指の中節や末節まで覆う長さとしてもよく、さらに指先まで覆う袋状としてもよい。装着体１は、袋状に形成された筒状部１ｒ1，１ｒ2によって、人差し指や親指の指先で固定されてもよい。また、これらの装着体１には、トリガーボタン２ｓが人差し指の中節に配置されるように筒状部１ｒ1に固定されたり、指部入力キー６１が親指の爪の上に配置されるように筒状部１ｒ2に固定されたりしてもよい。また、前記したように読取装置１０がトリガーボタン２ｓを備えない構成においては、装着体１は、筒状部１ｒ1が、人差し指の付け根のみに係合するように短く形成されていてもよい。また、指部入力キー６１を備えない構成においては、装着体１は、筒状部１ｒ2が短くてもよいし、さらには設けられていなくてよい。このように、装着体１が手部１ｈに１つの筒状部１ｒ1のみを有する構成においては、腕部の末端側が人差し指１本に固定される。さらにこのような構成によれば、ユーザが使い勝手等に応じて筒状部１ｒ1に中指を通して装着することができる。反対に、装着体１は、手部１ｈに筒状部１ｒ1，１ｒ2以外の筒状部をさらに備えて中指等も覆う構造としてよく、例えば５本指の指なし手袋形状としてもよい。さらに、中指の基節またはさらに中節まで覆う筒状部を備えて、親指側の側面に指部入力キー６１を配置することができる。また、装着体１は、掌も覆う構造としてもよい。
【００３９】
装着体１は、手首近傍では腕部に固定しない構成としてもよい。具体的には、装着体１は、装着時に帯状部１ｂ2を手首またはその近傍を締め付けないように緩く巻き回して環状に接続するか、面ファスナー１３，１４を設けずに、手を通せる程度の径の環状に固定した構造とする。したがって、装着体１は、筒状部１ｒ1，１ｒ2による人差し指および親指の付け根と、帯状部１ｂ1による前腕とで固定される。このような装着体１は、手首を伸ばした状態で表示パネル３等が腕部から浮き上がらないように、適度な伸縮性と弾性を有することが好ましい。また、筒状部１ｒ1，１ｒ2に加えて中指等も覆う構造として、手の甲により広い範囲で固定されることが好ましい。このような装着体１を備えた読取装置１０においては、表示パネル３は、画面サイズが比較的小さい等、軽量であることが好ましい。このような読取装置１０は、装着体１が手首回りを締め付けないので、圧迫感が低減する。
【００４０】
装着体１は、前腕部１ａと手部１ｈを分離可能に構成されてもよい。例えば、手部１ｈに前腕部１ａとの重なり代を設けて、その表側と前腕部１ａの裏側とに面ファスナーを縫い付ける。また、前腕部１ａの末端側（手首側）の縁におけるシート状部材１１，１２の一方と、手部１ｈのシート状部材１１とに、配線７２，７４および配線７５を通すための切込みが形成される。なお、スキャナ２が背面に配線７２を接続する構成である場合には、配線７２を前腕部１ａの切込みから表側に出したままスキャナ２に接続してもよい。このような構成により、手部１ｈの筒状部１ｒ1，１ｒ2の配置と、前腕部１ａ上の表示パネル３の配置とを、腕回り方向にある程度ずらして、手部１ｈと前腕部１ａを接続することができるので、表示パネル３を前腕上の所望の位置に固定することができる。また、手部１ｈの重なり代をその上の面ファスナーと共に幅広に設けることによって、腕軸方向にずらして手部１ｈと前腕部１ａを接続することができるので、ユーザの手の長さに応じて、手部１ｈの腕軸方向長を調整することができる。
【００４１】
読取装置１０は、ユーザの右腕に装着されてもよく、そのために、平面視（図３Ａ参照）で左右を入れ替えた構成とする。また、読取装置１０は、前記したように装着体１が人差し指１本に係合するように１つの筒状部１ｒ1のみを手部１ｈに備え、表示パネル３が画面表示の自動回転機能を有する、または入力操作により画面表示を所望の向きに設定可能とすることで、左右両用とすることができる。なお、右腕に装着した場合には、トリガーボタン２ｓが人差し指の中指に対面した側面に配置されるので、例えば、親指で人差し指を中指に押し付けて、トリガーボタン２ｓを押圧する。また、前腕の内側に電子回路基板４や配線７２が配置されないように、電子回路基板４が表示パネル３に内蔵されていることが好ましい。
【００４２】
本発明は、上記実施形態に限定されることなく、本発明の趣旨を逸脱しない範囲で、変更実施が可能である。
【００４３】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記装着手段は、腕部に装着可能であり、前記表示手段を前腕の橈骨上に、前記読取手段を手の甲側または指の背側に、それぞれ固定可能に構成されることを特徴とするウェアラブル電子装置。
《請求項２》
前記表示手段は、長手方向が前腕における手首−肘方向になるように、前記装着手段に配置されていることを特徴とする請求項１に記載のウェアラブル電子装置。
《請求項３》
前記装着手段は、前腕の手首−肘方向に沿った方向における少なくとも両端で腕部に固定して装着され、
前記両端の一方がいずれか一指に係合し、他方が前腕に固定されることを特徴とする請求項１または請求項２に記載のウェアラブル電子装置。
《請求項４》
前記装着手段は、前記両端に、前記一指および前記前腕のそれぞれに巻き回すための、環状のまたは接続して環状となる環状部材を有することを特徴とする請求項３に記載のウェアラブル電子装置。
《請求項５》
前記装着手段は、前記両端間の中間部位でさらに腕部に固定して装着され、
前記中間部位が手首または前腕に固定され、
前記表示手段が、前記装着手段の前記中間部位と前記前腕に固定される方の端との間に配置されることを特徴とする請求項３または請求項４に記載のウェアラブル電子装置。
《請求項６》
前記装着手段は、前記中間部位に、前記手首または前記前腕に巻き回して固定するための、環状のまたは接続して環状となる中間環状部材を有することを特徴とする請求項５に記載のウェアラブル電子装置。
《請求項７》
前記読取手段は、当該読取手段に対して前記表示手段が配置された側と反対側に対向する光学情報を読み取るように、前記装着手段に配置されることを特徴とする請求項１ないし請求項６のいずれか一項に記載のウェアラブル電子装置。
《請求項８》
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記装着手段は、腕部に装着可能であり、前記表示手段を前腕の親指側の側面に、前記読取手段を手の甲側または指の背側に、それぞれ固定可能に構成されることを特徴とするウェアラブル電子装置。
《請求項９》
光学情報を読み取る読取手段と、
前記読取手段が読み取った情報を表示する表示手段と、
少なくとも一部が可撓性を有する部材で形成され、前記表示手段および前記読取手段を支持する装着手段と、を備え、
前記表示手段と前記読取手段は、互いに一方向に離間して配置され、
前記装着手段は、少なくとも前記一方向における両端に、環状のまたは接続して環状となる環状部材を有し、
前記読取手段の側の前記環状部材は、前記読取手段から前記一方向への延長上に設けられ、内径が、前記表示手段の側の前記環状部材よりも小さいことを特徴とするウェアラブル電子装置。
《請求項１０》
前記装着手段は、前記一方向に前記表示手段を前記表示手段の側の前記環状部材と挟む位置に、前記一方向を軸方向とする環状のまたは接続して環状となる中間環状部材を有し、
前記中間環状部材は、内径が、前記読取手段の側の前記環状部材よりも大きく、かつ前記表示手段の側の前記環状部材よりも小さいことを特徴とする請求項９に記載のウェアラブル電子装置。
《請求項１１》
前記表示手段は、長手方向が前記一方向になるように、前記装着手段に配置されていることを特徴とする請求項９または請求項１０に記載のウェアラブル電子装置。
【符号の説明】
【００４４】
１０    読取装置（ウェアラブル電子装置）
１      装着体（装着手段）
１１    シート状部材、表地
１２    シート状部材、裏地
１ａ    前腕部
１ｂ1   帯状部（環状部材）
１ｂ2   帯状部（中間環状部材）
１ｈ    手部
１ｒ1，１ｒ2  筒状部（環状部材）
１３，１４  面ファスナー
２      スキャナ（読取手段）
２ｓ    トリガーボタン
３      表示パネル（表示手段）
４      電子回路基板
４１    制御部
４２    復号処理部
４３    記憶部
４４    通信部
５      バッテリー
【図１】
2020067989.tif 000003
【図２】
2020067989.tif 000004
【図３Ａ】
2020067989.tif 000005
【図３Ｂ】
2020067989.tif 000006
【図３Ｃ】
2020067989.tif 000007
【図４】
2020067989.tif 000008
【図５】
2020067989.tif 000009
【図６】
2020067989.tif 000010
【図７Ａ】
2020067989.tif 000011
【図７Ｂ】
2020067989.tif 000012